(57)【要約】【課題】簡便な構造でノズルの目詰まりを防止することができる杭打ち用噴射ノズル及びそれを使用した杭打ち工法の提供。【解決手段】  噴射口１３に嵌め込まれた栓部材１６と、ノズル本体１５の下端面部に保持され、栓部材１６の脱落を防止する栓脱落防止部材１７とを備え、高圧流体が供給されることにより、栓部材１６が噴射口１３より押し出されるとともに、栓脱落防止部材１７がノズル本体１５下端面部より離脱し、噴射口１３より高圧流体が噴射されるようにした杭打ち用噴射ノズル１０。【選択図】図２
2015178706.tif 000002
【特許請求の範囲】
【請求項１】
打込まれる杭の下端に固定され、下端面に開口した噴射口より高圧流体を噴射する杭打ち用噴射ノズルにおいて、
前記噴射口に嵌め込まれた栓部材と、ノズル本体の下端面部に保持され、前記栓部材の脱落を防止する栓脱落防止部材とを備え、
高圧流体が供給されることにより、前記栓部材が噴射口より押し出されるとともに、前記栓脱落防止部材が前記ノズル本体下端面部より離脱し、前記噴射口より高圧流体が噴射されるようにしたことを特徴とする杭打ち用噴射ノズル。
【請求項２】
前記栓脱落防止部材は、前記ノズル本体の下面を覆う栓支持板と、該栓支持板を前記ノズル本体に回動可能に支持させる可動支持部とを備えた請求項１に記載の杭打ち用噴射ノズル。
【請求項３】
前記栓脱落防止部材を前記ノズル本体の下端面部に仮固定する仮固定手段を備えた請求項１又は２に記載の杭打ち用噴射ノズル。
【請求項４】
前記仮固定手段は、前記ノズル本体の下端面に固定されたマグネット部材を備え、該マグネット部材の磁力により前記栓脱落防止部材を前記ノズル本体の下端面部に仮固定するようにした請求項３に記載の杭打ち用噴射ノズル。
【請求項５】
硬質地盤上に軟弱地盤が存在する地盤に打込まれる杭の下端に杭打ち用噴射ノズルを固定し、該杭打ち用噴射ノズルの下端面に開口した噴射口より高圧流体を噴射しつつ前記杭を前記硬質地盤に打ち込む杭打ち工法において、
前記杭打ち用噴射ノズルに、前記噴射口に嵌め込まれた栓部材と、ノズル本体の下端面部に保持され、前記栓部材の脱落を防止する栓脱落防止部材とを備えた状態で軟弱地盤に前記杭を貫入させ、
然る後、前記杭の下端が前記前記硬質地盤に到達する直前に前記噴射ノズルに高圧流体を供給し、前記栓部材を噴射口より押し出すとともに、前記脱落防止部材を前記ノズル本体下端面より離脱させ、前記杭打ち用噴射ノズルより高圧流体を地盤に向けて噴射させつつ前記硬質地盤に杭を打ち込むことを特徴とする杭打ち用噴射ノズルを使用した杭打ち工法。
【請求項６】
振動により前記杭を地盤に打ち込む請求項５に記載の杭打ち用噴射ノズルを使用した杭打ち工法。
【発明の詳細な説明】
【技術分野】
【０００１】
本発明は、Ｉ形鋼、Ｈ形鋼、鋼矢板、鋼管矢板、既製杭等からなる杭を硬質地盤に打ち込む際に使用するウォータージェットノズル等の杭打ち用噴射ノズル及びそれを使用した杭打ち工法に関する。
【背景技術】
【０００２】
従来、河川や傾斜地等の杭打ち機の設置が困難な場所においては、クレーンによる作業が可能なバイブロハンマ（振動式杭打ち機）を用い、振動力を利用して地盤にＩ形鋼、Ｈ形鋼、鋼矢板、鋼管矢板、既製杭等からなる杭を打ち込む工法が用いられている。
【０００３】
このバイブロハンマによる杭打ち工法では、杭の下端にウォータージェットノズル等の噴射ノズルを固定し、その噴射ノズルの下端に開口した噴射口より杭の打ち込み方向に向けて高圧水等の高圧流体を噴射しつつ杭を打ち込むことにより、硬質地盤であっても効率よく杭を打ち込めるようにした工法も知られている（例えば、特許文献１を参照）。
【０００４】
このウォータージェット等の高圧流体噴射を伴う工法では、高圧流体を地盤に向けて噴射することによりその地盤抵抗を低減させ、更に、その噴流が杭と地盤との間に介在されて潤滑剤的に機能することにより、杭打設時の衝撃の低減や作業の効率化を図ることができる。
【０００５】
この高圧流体の噴射に用いられる噴射ノズルは、下端に開口した小径の噴射口を有し、ジェットポンプ等からなる高圧流体供給手段より高圧水等の高圧流体が供給ホースを通して供給されることにより、噴射口から高圧流体が高圧で噴射されるようになっている。
【先行技術文献】
【特許文献】
【０００６】
【特許文献１】特開２００４−１９１３２号公報
【発明の概要】
【発明が解決しようとする課題】
【０００７】
しかしながら、上述の如き従来の技術では、硬質地盤の上層に軟弱地盤が存在した場合、軟弱地盤へ杭を打ち込む際、地盤抵抗が低いので高圧水の噴射を用いずとも杭を軟弱地盤に容易に貫入することができるが、杭の貫入に伴ってノズルの噴射口に土砂や小石が入り込み、噴射口が目詰まりするおそれがあることから、噴射口の目詰まりを防止すべく高圧水を噴射しつつ作業を行っていた。
【０００８】
その為、作業中常に高圧ポンプを稼働するので運転費用が嵩むとともに、地表面に噴出する濁水の量が多くなり、その処理が煩雑で、特に都市部での作業では、その濁水を処理する為の設備を確保することが困難であった。
【０００９】
また、河川等の水底部に杭を打ち込む場合には、水底面より噴出した濁水により水中が混濁し、水質汚染の原因となる虞があった。
【００１０】
そこで、本発明は、このような従来の問題に鑑み、簡便な構造でノズルの目詰まりを防止することができる杭打ち用噴射ノズル及びそれを使用した杭打ち工法の提供を目的としてなされたものである。
【課題を解決するための手段】
【００１１】
上述の如き従来の問題を解決するための請求項1に記載の発明の特徴は、  打込まれる杭の下端に固定され、下端面に開口した噴射口より高圧流体を噴射する杭打ち用噴射ノズルにおいて、前記噴射口に嵌め込まれた栓部材と、ノズル本体の下端面部に保持され、前記栓部材の脱落を防止する栓脱落防止部材とを備え、高圧流体が供給されることにより、前記栓部材が噴射口より押し出されるとともに、前記栓脱落防止部材が前記ノズル本体下端面部より離脱し、前記噴射口より高圧流体が噴射されるようにした杭打ち用噴射ノズルにある。
【００１２】
請求項２に記載の発明の特徴は、請求項１の構成に加え、前記栓脱落防止部材は、前記ノズル本体の下面を覆う栓支持板と、該栓支持板を前記ノズル本体に回動可能に支持させる可動支持部とを備えたことにある。
【００１３】
請求項３に記載の発明の特徴は、請求項１又は２の構成に加え、前記栓脱落防止部材を前記ノズル本体の下端面部に仮固定する仮固定手段を備えたことにある。
【００１４】
請求項４に記載の発明の特徴は、請求項３の構成に加え、前記仮固定手段は、前記ノズル本体の下端面に固定されたマグネット部材を備え、該マグネット部材の磁力により前記栓脱落防止部材を前記ノズル本体の下端面部に仮固定するようにしたことにある。
【００１５】
請求項５に記載の発明の特徴は、硬質地盤上に軟弱地盤が存在する地盤に打込まれる杭の下端に杭打ち用噴射ノズルを固定し、該杭打ち用噴射ノズルの下端面に開口した噴射口より高圧流体を噴射しつつ前記杭を前記硬質地盤に打ち込む杭打ち工法において、前記杭打ち用噴射ノズルに、前記噴射口に嵌め込まれた栓部材と、ノズル本体の下端面部に保持され、前記栓部材の脱落を防止する栓脱落防止部材とを備えた状態で前記軟弱地盤に杭を貫入させ、然る後、前記杭の下端が前記硬質地盤に到達する直前に前記噴射ノズルに高圧流体を供給し、前記栓部材を噴射口より押し出すとともに、前記脱落防止部材を前記ノズル本体下端面より離脱させ、前記杭打ち用噴射ノズルより高圧流体を地盤に向けて噴射させつつ前記硬質地盤に杭を打ち込む杭打ち用噴射ノズルを使用した杭打ち工法にある。
【００１６】
請求項６に記載の発明の特徴は、請求項５の構成に加え、振動により前記杭を地盤に打ち込むことにある。
【発明の効果】
【００１７】
本発明に係る杭打ち用噴射ノズルは、上述したように、打込まれる杭の下端に固定され、下端面に開口した噴射口より高圧流体を噴射する杭打ち用噴射ノズルにおいて、前記噴射口に嵌め込まれた栓部材と、ノズル本体の下端面部に保持され、前記栓部材の脱落を防止する栓脱落防止部材とを備え、高圧流体が供給されることにより、前記栓部材が噴射口より押し出されるとともに、前記栓脱落防止部材が前記ノズル本体下端面部より離脱し、前記噴射口より高圧流体が噴射されるようにしたことにより、未使用時には、簡易な構造で土砂や小石等の噴射口への侵入を排除し、噴射口の目詰まりを防止することができ、使用時には、高圧流体の噴射を妨げず好適に高圧流体を噴射することができる。
【００１８】
また、本発明において、前記栓脱落防止部材は、前記ノズル本体の下面を覆う栓支持板と、該栓支持板を前記ノズル本体に回動可能に支持させる可動支持部とを備えたことにより、未使用時には、栓支持板に支持させて栓部材の脱落を好適に防止し、使用時には、高圧流体に押されて栓支持板が回動し、高圧流体の噴射が阻害されない。
【００１９】
更に、本発明において、前記栓脱落防止部材を前記ノズル本体の下端面部に仮固定する仮固定手段を備えたことにより、地盤からの土圧を受けない場合であっても栓脱落防止部材をノズル本体の下端面部に確実に保持することができる。
【００２０】
更にまた、本発明において、前記仮固定手段は、前記ノズル本体の下端面に固定されたマグネット部材を備え、該マグネット部材の磁力により前記栓脱落防止部材を前記ノズル本体の下端面部に仮固定するようにしたことにより、簡易な構造で栓脱落防止部材をノズル本体の下端面に仮固定することができる。
【００２１】
また、本発明に係る杭打ち用噴射ノズルを使用した杭打ち工法は、硬質地盤上に軟弱地盤が存在する地盤に打込まれる杭の下端に杭打ち用噴射ノズルを固定し、該杭打ち用噴射ノズルの下端面に開口した噴射口より高圧流体を噴射しつつ前記杭を前記硬質地盤に打ち込む杭打ち工法において、前記杭打ち用噴射ノズルに、前記噴射口に嵌め込まれた栓部材と、ノズル本体の下端面部に保持され、前記栓部材の脱落を防止する栓脱落防止部材とを備えた状態で前記軟弱地盤に杭を貫入させ、然る後、前記杭の下端が前記硬質地盤に到達する直前に前記噴射ノズルに高圧流体を供給し、前記栓部材を噴射口より押し出すとともに、前記脱落防止部材を前記ノズル本体下端面より離脱させ、前記杭打ち用噴射ノズルより高圧流体を地盤に向けて噴射させつつ前記硬質地盤に杭を打ち込むことにより、地盤抵抗が小さく高圧流体による掘削が不要な軟弱地盤に杭を貫入する際には、高圧流体を噴射せずとも噴射口の目詰まりが防止された状態にあるので、噴出する濁水量を軽減することができ、硬質地盤に杭を打ち込む際には、硬質地盤に対し好適に高圧流体を噴射することができるので、効率よく作業を進めることができる。
【００２２】
また、本発明においては、振動により前記杭を地盤に打ち込むことにより、振動で栓部材が脱落し易くなるところ、栓脱落防止部材を備えているので好適に目詰まりを防止した状態を維持することができる。
【図面の簡単な説明】
【００２３】
【図１】噴射ノズルを使用した杭打ち工法の一態様の概略を示す断面図である。
【図２】（ａ）本発明に係る杭打ち用噴射ノズルの一例を示す断面図、（ｂ）は同底面図である。
【図３】同上の杭打ち用噴射ノズルの噴射時の状態を示す断面図である。
【発明を実施するための形態】
【００２４】
次に、本発明に係る杭打ち用噴射ノズルの実施態様を図１〜図３に示した実施例に基づいて説明する。尚、本実施例では、バイブロハンマを使用した杭打ち工法を例に説明し、図中符号１はクレーン、符号２はバイブロハンマ、符号３は杭、符号４は地盤である。
【００２５】
この地盤４は、硬質地盤５上に軟弱地盤６が存在し、表層部７、軟弱地盤６、硬質地盤５が地表側より順次積層した構造になっており、Ｉ形鋼、Ｈ形鋼、鋼矢板、鋼管矢板、既製杭等からなる杭３は、バイブロハンマ２による振動力によって軟弱地盤６を経て硬質地盤５の所望の深度まで打ち込まれるようになっている。
【００２６】
本発明に係る杭打ち用噴射ノズル１０は、図１に示すように、地盤に打ち込まれる杭３の下端部に固定され、杭３に沿って配設された供給ホース１１を通して高圧ポンプ等の高圧流体供給手段１２から高圧水等の圧縮された状態の高圧流体を供給することにより、下端面に開口した噴射口１３より地盤に向けて高圧水等の高圧流体が噴射されるようになっている。
【００２７】
尚、供給ホース１１は、杭３に対し杭軸方向の所望の間隔毎に固定バンド１４，１４...で固定され、杭打ち用噴射ノズル１０は、杭３の打設完了後、供給ホース１１を引き抜くことにより共に撤去できるようになっている。
【００２８】
杭打ち用噴射ノズル１０は、図２に示すように、下端面に開口した噴射口１３を有するノズル本体１５と、噴射口１３に嵌め込まれた栓部材１６と、ノズル本体１５の下端面部に保持され、栓部材１６の脱落を防止する栓脱落防止部材１７とを備えている。
【００２９】
また、この杭打ち用噴射ノズル１０には、ノズル本体１５の下端面部に栓脱落防止部材１７を仮固定する仮固定手段が備えられている。
【００３０】
ノズル本体１５は、その内底部が噴射口１３の上端開口に向けて内径が縮小する擂鉢状を成す有底筒状に形成され、供給ホース１１を通して供給された高圧流体が小径の噴射口１３より噴射されるようになっている。
【００３１】
このノズル本体１５の上端外周部には、ねじ継手を構成する雄ねじ部１８が備えられ、この雄ねじ部１８を供給ホース１１先端の接続部形成された雌ねじ部１９からなる接続部に螺合させることにより、杭打ち用噴射ノズル１０が供給ホース１１に接続されている。
【００３２】
また、このノズル本体１５は、特に図示しないが、供給ホース１１の引き抜きに伴い杭軸方向に一定以上の力を加えることにより、杭３の下端より離脱するように固定されている。
【００３３】
仮固定手段は、このノズル本体１５の下端面に固定されたシート状のマグネット部材２２を備え、このマグネット部材２２の磁力により栓脱落防止部材１７をノズル本体１５の下端面部に保持させるようになっている。
【００３４】
マグネット部材２２は、例えば、中央に孔２２ａの開いた円環状に形成され、この孔２２ａにより噴射口１３からの高圧流体の噴射及び栓部材１６と干渉しないようになっている。
【００３５】
栓部材１６は、ゴム材等の弾性材料により一体に形成され、噴射口１３内に弾性的に嵌り込む円柱状の栓本体２０と、栓本体２０の下端外周にフランジ状に形成された抜け止め部２１とを備えている。
【００３６】
この栓部材１６は、抜け止め部２１が噴射口１３の開口縁部に形成された凹部に嵌り込み、栓部材１６のノズル内方向への移動が規制された状態で噴射口１３を塞ぎ、ノズル本体１５内の圧力が一定値を超えると、その圧力によりノズルの噴射方向へ押し出されるようになっている。
【００３７】
栓脱落防止部材１７は、ノズル本体１５の下面を覆う栓支持板３０と、栓支持板３０をノズル本体１５に回動可能に支持させる可動支持部３１とを備え、栓支持板３０がノズル本体１５の下面部に離脱可能に保持されている。
【００３８】
栓支持板３０は、鋼板等の磁性を有する材料により形成され、仮固定手段を構成するマグネット部材２２の磁力によりノズル本体１５の下端面部に仮固定されるようになっている。
【００３９】
可動支持部３１は、蝶番３２により回動可能に連結された上下一対の鋼板からなる固定板３３と可動板３４とを備え、固定板３３がノズル本体１５の外側面に溶接等によって固定され、可動板３４の下縁に栓支持板３０が一体に支持されている。
【００４０】
この栓脱落防止部材１７は、高圧流体がノズル本体１５に未供給の場合、図２に示すように、杭３の地盤貫入前ではマグネット部材２２の磁力によって栓支持板３０がノズル本体１５の下面部に保持され、杭３の地盤貫入後ではマグネット部材２２の磁力に加え、土圧により栓支持板３０がノズル本体１５の下面部に保持されるようになっている。
【００４１】
そして、高圧流体供給手段１２より高圧流体が供給されてノズル本体１５内の圧力が一定値を超えると、この栓脱落防止部材１７は、図３に示すように、その圧力により押し出された栓部材１６に押され、栓支持板３０が可動支持部３１の蝶番３２を介して回動し、ノズル本体１５の下面より離脱するようになっている。
【００４２】
次に、このように構成された杭打ち用噴射ノズル１０を使用した杭打ち工法について説明する。尚、上述の実施例と同様の構成には同一符号を付して説明を省略する。
【００４３】
本工法では、先ず、地盤４に打ち込む杭３に沿って供給ホース１１を配設するとともに、供給ホース１１の先端に接続された杭打ち用噴射ノズル１０を杭３の下端に固定する。
【００４４】
また、供給ホース１１の他端を高圧ポンプ等の高圧流体供給手段１２に接続し、杭打ち用噴射ノズル１０に高圧流体を供給可能な状態にする。
【００４５】
一方、この杭３の下端に固定された杭打ち用噴射ノズル１０には、噴射口１３に嵌め込まれた栓部材１６と、栓部材１６の脱落を防止する栓脱落防止部材１７とを備えた状態とし、栓脱落防止部材１７は仮固定手段を構成するマグネット部材２２の磁力によりノズル本体１５の下端面部に保持された状態となっている。
【００４６】
次に、杭３をクレーン１等で打設位置に移動させて建て込み、バイブロハンマ２のチャック部２ａで杭頭部を把持するとともに、杭３の芯出し等の調整を行い、調整が完了した後、バイブロハンマ２を動作させて杭頭部より杭３に振動力を加え、地盤への杭３の打ち込みを開始する。
【００４７】
その際、高圧ポンプ等の高圧流体供給手段１２は、停止したままとし、供給ホース１１を通して杭打ち用噴射ノズル１０に高圧流体が供給されない状態にしておく。
【００４８】
このバイブロハンマ２による軟弱地盤６への杭３の打ち込みでは、杭３を軟弱地盤６に貫入させると、軟弱地盤６の地盤抵抗が小さいため、バイブロハンマ２による振動力のみで好適に打ち込まれる。
【００４９】
その際、杭打ち用噴射ノズル１０には高圧流体が供給されず、噴射口１３は、栓部材１６により閉鎖され、栓脱落防止部材１７の栓支持板３０は、地盤からの土圧を受けてノズル本体１５の下端面に押し付けられ、仮固定手段を構成するマグネット部材２２の磁力と地盤の土圧とにより栓脱落防止部材１７の栓支持板３０がノズル本体１５の下端面部に保持された状態にある。
【００５０】
よって、栓部材１６により土砂等の逆流による噴射口１３の目詰まりが防止され、その栓部材１６が栓脱落防止部材１７に支持されてバイブロハンマ２による振動によっても栓部材１６が噴射口１３より抜け出ないようになっている。
【００５１】
従って、杭３を軟弱地盤６に貫入する際には、不要な高圧流体の噴射を省けるので、高圧ポンプ等の高圧流体供給手段１２を無駄なく運用でき、濁水の噴出も抑えることができる。
【００５２】
次に、杭３の下端が硬質地盤５の直前まで到達したら、高圧ポンプ等の高圧流体供給手段１２を作動させ、供給ホース１１を通して杭打ち用噴射ノズル１０に圧縮された状態の高圧流体を供給する。
【００５３】
高圧流体が供給された杭打ち用噴射ノズル１０では、ノズル本体１５内の圧力が一定値を超え、図３に示すように、高圧流体による圧力により栓部材１６が噴射口１３より押し出され、その栓部材１６及び噴射された高圧流体に栓支持板３０が押され、マグネット部材２２の磁力及び地盤から受ける土圧に抗して栓支持板３０が回動支持部の蝶番３２を介して回動し、栓脱落防止部材１７がノズル本体１５の下端面部より離脱し、噴射口１３が開口した状態となって、高圧流体が地盤に向けて噴射される。
【００５４】
そして、下端面に開口した噴射口１３より高圧流体を硬質地盤５に向けて噴射しつつ、バイブロハンマ２により杭３に振動力を加えることにより、杭３を硬質地盤５に打ち込む。
【００５５】
これにより、噴射口１３より硬質地盤５に向けて高圧水等の高圧流体が噴射されたことにより硬質地盤５の地盤抵抗が軽減されるとともに、噴射された高圧流体が杭３の外側を伝って地表側へ噴出することで、一種の潤滑剤として機能するので、バイブロハンマ２による振動で杭３を硬質地盤５に好適に打ち込むことができる。
【００５６】
その際、栓部材１５は、噴射口１３より押し出されて存在せず、栓脱落防止部材１６は、栓支持板３０が回動した状態のままとなっているので、噴射口１３からの高圧流体の噴射を阻害しないようになっている。
【００５７】
そして、所望の深さまで杭３の打ち込みが完了したら、高圧流体供給手段１２からの高圧流体の供給を停止し、杭頭部よりバイブロハンマ２のチャック部２ａを取り外す。
【００５８】
そして、供給ホース１１を地盤４より引抜き、それに伴い杭打ち用噴射ノズル１０のノズル本体１５が杭３より離脱し、供給ホース１１と共に回収される。
【００５９】
尚、供給ホース１１及び杭打ち用噴射ノズル１０の回収の際には、供給ホース１１の引き抜きに伴い杭打ち用噴射ノズル１０が固定バンド１４を通過する際、固定バンド１４に押されて蝶番３２を介して栓支持板がノズル本体下面側に回動するので、固定バンド１４を通過できるようにしている。
【００６０】
このように構成された本発明方法では、杭３を軟弱地盤６に貫入する際において、簡易な構造で噴射口１３の目詰まりを防止することができるので、不要な高圧流体の噴射を省き、地表に噴出する濁水の量を軽減することができる。
【００６１】
従って、本発明方法を、濁水処理が煩雑な都市部での杭打ち作業や、水質汚染が懸念される水底部への杭打ち作業等に適用することで多大な効果を安価に得ることができる。
【００６２】
一方、硬質地盤５に杭を打ち込む際には、杭３の下端が硬質地盤５に到達する直前に杭打ち用噴射ノズル１０に高圧流体を供給することで、噴射口１３を塞ぐ栓部材１６及び栓部材１６を支持する栓脱落防止部材１７を高圧流体の噴射圧力によって杭打ち用噴射ノズル１０の下端側より離脱させられるので、ウォータージェット等による高圧流体の噴射とバイブロハンマ２による振動力とを併用して好適に硬質地盤５に杭３を打ち込むことができる。
【００６３】
尚、上述の実施例では、栓脱落防止部材１７に栓支持板３０と可動支持部３１とを備え、栓支持板３０がノズル本体１５に回動可能に支持されるようにした例について説明したが、栓脱落防止部材１７の態様はこれに限定されず、例えば、栓脱落防止部材を栓部材１６の下端に固定された所望の面積を有する平板状に形成し、この栓脱落防止部材が土圧を受けることにより栓部材１６の脱落を防止し、高圧流体が供給された際にはその栓支持板が栓部材１６の押し出しとともに地盤中に捨て置かれるようにしたものであってもよい。
【００６４】
上述の実施例では、仮固定手段にノズル本体１５の下端面に固定された円環シート状のマグネット部材２２を使用した例について説明したがマグネット部材の形状はこれに限定されない。
【００６５】
また、仮固定手段の態様は、マグネット部材の磁力を利用したものに限定されず、例えば、高圧流体の圧力を受けて容易に外れる程度の強度に栓支持板３０の一部をノズル本体１５に接着又は溶接するようにしてもよく、特に図示しないが、栓支持板３０にノズル本体１５の一部に着脱容易に係合する係合部材を備えるようにしてもよい。
【００６６】
また、杭は、上述の実施例に例示したものに限定されない。杭には、例えば、地盤改良用の各種材料で構成される杭状体やその他の杭状を成す物体をも含むものとし、本発明は、それらの杭状体の打設にも適用できる。
【００６７】
さらに、上述の実施例では、バイブロハンマ工法による杭打ちを例に説明したが、本発明は、他の杭打ち工法にも適用することができる。
【００６８】
また、ウォータージェット等の高圧流体として圧縮された水（高圧水）を用いる例について説明したが、高圧流体はこれに限定されず、地盤の掘削に使用可能な流体のいずれにも適用できる。
【符号の説明】
【００６９】
１  クレーン
２  バイブロハンマ
３  杭
４  地盤
５  硬質地盤
６  軟弱地盤
７  表層部
１０  杭打ち用噴射ノズル
１１  供給ホース
１２  高圧流体供給手段
１３  噴射口
１４  固定バンド
１５  ノズル本体
１６  栓部材
１７  栓脱落防止部材
１８  雄ねじ部
１９  雌ねじ部
２０  栓本体
２１  抜け止め部
２２  マグネット部材
３０  栓支持板
３１  可動支持部
３２  蝶番
３３  固定板
３４  可動板
【図１】
2015178706.tif 000003
【図２】
2015178706.tif 000004
【図３】
2015178706.tif 000005